(57)【要約】【課題】利用者をより綺麗に撮影できるようにする。【解決手段】撮影空間の前面に備えられ、利用者を撮影する撮影部と、前面に備えられ、利用者に光を照射する前面照射部と、撮影空間の後面に備えられ、利用者に光を照射する後面照射部とを備え、後面照射部の光量は、前面照射部の光量よりも大きく、後面照射部は、撮影部で撮影される撮影範囲に利用者の顔が位置したときに、利用者の頭部に光が照射される角度で、後面に設置されている。本技術は、例えば、写真シール作成装置に適用できる。【選択図】図１３
2019101076.tif 000002
【特許請求の範囲】
【請求項１】
撮影空間の前面に備えられ、利用者を撮影する撮影部と、
前記前面に備えられ、前記利用者に光を照射する前面照射部と、
前記撮影空間の後面に備えられ、前記利用者に光を照射する後面照射部と
を備え、
前記後面照射部の光量は、前記前面照射部の光量よりも大きく、
前記後面照射部は、前記撮影部で撮影される撮影範囲に前記利用者の顔が位置したときに、前記利用者の頭部に光が照射される角度で、前記後面に設置されている
写真シール作成装置。
【請求項２】
前記後面照射部の光量と、前記前面照射部の光量の差分は、０．１以上である
請求項１に記載の写真シール作成装置。
【請求項３】
前記後面照射部は、前記撮影空間の側面と４０乃至７０度の角度を有し、前記撮影空間の後面と、３０乃至６０度の角度を有して設置されている
請求項１または２に記載の写真シール作成装置。
【請求項４】
前記撮影空間の床には、最適な撮影位置を示すマークが表示され、
前記利用者が前記マーク上に位置するとき、前記後面照射部からの光が、前記利用者の頭部に照射される位置に、前記後面照射部は設置されている
請求項１乃至３のいずれかに記載の写真シール作成装置。
【請求項５】
前記後面照射部は、前記後面の左側と右側にそれぞれ設置されている
請求項１乃至４のいずれかに記載の写真シール作成装置。
【請求項６】
前記マークは、左側の前記利用者用の左マークと、右側の前記利用者用の右マークが、それぞれ表示され、
前記後面照射部は、前記左マークに位置する前記利用者の頭部を照射する後面照射部と、前記右マークに位置する前記利用者の頭部を照射する後面照射部を備える
請求項４に記載の写真シール作成装置。
【請求項７】
前記後面照射部は、光を拡散する拡散部材を備える
請求項１乃至６のいずれかに記載の写真シール作成装置。
【請求項８】
前記撮影空間の前記前面は、黒色であり、前記後面と側面は、白色である
請求項１乃至７のいずれかに記載の写真シール作成装置。
【請求項９】
前記後面の最上部から前記後面照射部の下側が位置する位置までは、黒色である
請求項８に記載の写真シール作成装置。
【請求項１０】
前記後面照射部は、前記撮影部が、前記利用者の上半身を撮影するときと、前記利用者の全身を撮影するときとで、異なる発光を行う
請求項１乃至９のいずれかに記載の写真シール作成装置。
【発明の詳細な説明】
【技術分野】
【０００１】
本技術は写真シール作成装置に関し、例えば、利用者をより綺麗に撮影できるようにした写真シール作成装置に関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を利用者として撮影し、利用者を編集空間に移動させ、編集空間内で行われる操作に従って画像を編集し、編集後の画像である編集画像をシール紙に印刷して排出するという流れになる。
【０００３】
このような写真シール作成装置においては、利用者を綺麗に撮影するために、強い光を利用者に当てることが行われていた。特許文献１においては、写真シール作成装置の撮影空間における利用者の後ろ側となる背面の両サイドに、ストロボを配置することが提案されている。
【先行技術文献】
【特許文献】
【０００４】
【特許文献１】特開2004-349959号公報
【発明の概要】
【発明が解決しようとする課題】
【０００５】
一般的に、利用者の顔に、利用者の正面方向から光を当てると、利用者を綺麗に撮影できることが知られている。よって、写真シール作成装置においても、利用者の正面に配置されているストロボ（通常、カメラが配置され、利用者が撮影時に向いている方向）からの光は、利用者の背面に配置されているストロボから出射された光よりも強い光とされている。
【０００６】
しかしながら、正面に配置されているストロボからの光が強いと、利用者の顔が主に照らされ、顔におけるコントラストは得られるが、顔を含めた頭部全体としてのコントラストには欠ける撮影画像となってしまう場合があった。
【０００７】
本技術は、このような状況に鑑みてなされたものであり、写りが良い画像を利用者に提供することができるようにするものである。
【課題を解決するための手段】
【０００８】
本技術の一側面の写真シール作成装置は、撮影空間の前面に備えられ、利用者を撮影する撮影部と、前記前面に備えられ、前記利用者に光を照射する前面照射部と、前記撮影空間の後面に備えられ、前記利用者に光を照射する後面照射部とを備え、前記後面照射部の光量は、前記前面照射部の光量よりも大きく、前記後面照射部は、前記撮影部で撮影される撮影範囲に前記利用者の顔が位置したときに、前記利用者の頭部に光が照射される角度で、前記後面に設置されている。
【０００９】
本技術の一側面の写真シール作成装置においては、撮影空間の前面に備えられ、利用者を撮影する撮影部と、前面に備えられ、利用者に光を照射する前面照射部と、撮影空間の後面に備えられ、利用者に光を照射する後面照射部とが備えられている。また後面照射部の光量は、前面照射部の光量よりも大きく、後面照射部は、撮影部で撮影される撮影範囲に利用者の顔が位置したときに、利用者の頭部に光が照射される角度で、後面に設置されている。
【００１０】
なお、写真シール作成装置は、独立した装置であっても良いし、１つの装置を構成している内部ブロックであっても良い。
【発明の効果】
【００１１】
本技術の一側面によれば、写りが良い画像を利用者に提供することができる。
【００１２】
なお、ここに記載された効果は必ずしも限定されるものではなく、本開示中に記載されたいずれかの効果であってもよい。
【図面の簡単な説明】
【００１３】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】床材を示す斜視図である。
【図８】編集ユニットの正面の構成例を示す図である。
【図９】編集ユニットの側面の構成例を示す図である。
【図１０】写真シール作成装置の構成例を示すブロック図である。
【図１１】写真シール作成装置の機能構成例を示すブロック図である。
【図１２】背面ストロボの配置位置について説明するための図である。
【図１３】背面ストロボの配置位置について説明するための図である。
【図１４】最適撮影位置を利用者に提示する画面の一例である。
【図１５】背面ストロボによる効果を説明するための図である。
【図１６】背面ストロボによる効果を説明するための図である。
【図１７】撮影空間の色配置について説明するための図である。
【図１８】撮影空間の色配置について説明するための図である。
【図１９】撮影空間の色配置について説明するための図である。
【図２０】背面ストロボの形状について説明するための図である。
【図２１】背面ストロボの形状について説明するための図である。
【図２２】背面ストロボの形状について説明するための図である。
【図２３】背面ストロボの形状について説明するための図である。
【図２４】背面ストロボの形状について説明するための図である。
【図２５】背面ストロボの内部構成例を示す図である。
【図２６】上ストロボユニットの内部構成例を示す図である。
【図２７】パネルを取り付ける部分の構成例を示す図である。
【図２８】パネルの構成例を示す図である。
【図２９】爪の形状について説明するための図である。
【図３０】パネルを外すときの係止状態について説明するための図である。
【図３１】背面ストロボの他の配置位置を示す図である。
【図３２】背面ストロボによる効果を説明するための図である。
【図３３】背面ストロボの他の配置位置を示す図である。
【図３４】背面ストロボによる効果を説明するための図である。
【図３５】背面ストロボの他の配置位置を示す図である。
【図３６】背面ストロボの他の配置位置を示す図である。
【発明を実施するための形態】
【００１４】
以下に、本技術を実施するための形態（以下、実施の形態という）について説明する。
【００１５】
＜写真シール作成装置の外観＞
図１および図２は、写真シール作成装置１の外観の構成例を示す斜視図である。
【００１６】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１７】
写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１８】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、写真作成ゲームを提供する写真作成ゲーム機ということができる。
【００２０】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２１】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離して設置される。撮影部２１と背景部２２の間に形成される空間が、撮影処理が行われる撮影空間となる。
【００２２】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２３】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２４】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２５】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２６】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２７】
撮影空間の床には、板状の部材である床材２７が敷かれる。
【００２８】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２９】
撮影空間の上方には、撮影部２１の正面、連結部２３Ａ、および連結部２３Ｂに囲まれた天井が形成される。その天井の一部に、天井シート２４が設けられる。天井シート２４の一端が連結部２３Ａに固定され、他端が連結部２３Ｂに固定される。
【００３０】
天井シート２４は、シート状であっても、板状であっても良い。また、天井シート２４を連結部２３に連結しない、換言すれば、天井シート２４がなく、天井に開口部が形成されているようにしても良い。
【００３１】
また天井シート２４の一部に、通気孔を設けても良い。例えば、図１に示した天井シート２４の両端（連結部２３Ａ側と連結部２３Ｂ側）に四角形状で示した部分を、通気孔としても良い。また、図１に四角形状で示した部分は、光が入射する透明な部材で形成されていても良い。
【００３２】
編集ユニット１２は、撮影画像に編集を施すための装置である。編集ユニット１２は、一方の側面が撮影部２１の正面パネル４２に接するようにして、撮影ユニット１１に連結している。
【００３３】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３４】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５
が設けられる。
【００３５】
編集ユニット１２の上方にはカーテンレール２６が取り付けられる。カーテンレール２６は、３本のレール２６Ａ乃至２６Ｃを、組み合わせて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３６】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３７】
後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３８】
＜利用者の移動について＞
ここで、写真シール作成ゲームの流れと、それに伴う利用者の移動について説明する。
【００３９】
図３は、写真シール作成装置１を上から見た平面図である。
【００４０】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４１】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４２】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４３】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４４】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４５】
印刷待ち空間Ａ３に移動した利用者は、印刷が終わるのを待つ。印刷が終了すると、利用者は、編集ユニット１２の右側面に設けられた排出口から排出されたシール紙を受け取り、一連の写真シール作成ゲームを終える。
【００４６】
次に、各装置の構成について説明する。
【００４７】
＜事前選択部の構成＞
図４は、事前選択部２０の構成例を示す図である。
【００４８】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００４９】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５０】
また事前選択部２０のタッチパネルモニタ７１の上側には、ケース７４が設けられている。このケース７４には、例えば、写真シール作成装置１で作成されるシールのサンプルが掲示される。また、ケース７４は、広告として用いることができ、何らかの商品のサンプルや商品説明画像（ポスター）などを掲示することもできる。
【００５１】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５２】
正面パネル４２の中央よりやや上側には、カメラユニット８１が設けられる。カメラユニット８１の正面には、カメラ９１とタッチパネルモニタ９２が設けられる。
【００５３】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１は、利用者を被写体として撮影を行う撮影部として機能する。
【００５４】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００５５】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００５６】
カメラユニット８１の上方には、上ストロボユニット８２が設置される。この上ストロボユニット８２は、３枚のパネル８６−１乃至８６−３（以下、パネル８６−１乃至８６−３を個々に区別する必要がない場合、単にパネル８６と記述する）が備えられ、これらのパネル８６は、正面パネル４２に対して所定の角度を有して設置されている。その角度は、パネル８６の面が、利用者側に向く角度とされている。例えば、図１２に示したように、パネル８６は、正面パネル４２に対しておよそ４５度の角度を有して設置されている。
【００５７】
上ストロボユニット８２は、利用者の正面上方から、利用者の顔および上半身に光を照射する。パネル８６は、取り外すことが可能な構成とされており、詳細は後述するが、パネル８６を取り外すと、内側には、照明用の電球や、撮影時に発光するストロボが配置されている。
【００５８】
カメラユニット８１の下方には、利用者の下半身および足元に光を照射する足元ストロボユニット８３が設けられる。
【００５９】
上ストロボユニット８２および足元ストロボユニット８３は、照明用の電球とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００６０】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００６１】
なお、正面パネル４２の例えば天井付近に、スピーカが設けられ、撮影処理の案内音声、BGM、効果音などが出力される構成としても良い。また、スピーカは、正面パネル４２ではなく、後述する背景部２２に設けられていても良い。ここでは、図６に示すように背景部２２にスピーカが設けられている場合を例に挙げて説明を続ける。
【００６２】
＜背景部の構成＞
図６は、背景部２２の撮影空間Ａ１側の構成例を示す図である。
【００６３】
背面パネル５１の上方には、背面ストロボ１０１−１と背面ストロボ１０１−２が設置されている。背面ストロボ１０１は、利用者、特に利用者の頭部に、利用者の後方かつ上方から光を照射する。
【００６４】
背面ストロボ１０１−１と背面ストロボ１０１−２の間に、スピーカ１０２−１とスピーカ１０２−２が設けられている。スピーカ１０２は、撮影処理の案内音声、BGM、効果音などを出力する。
【００６５】
なお、図６では、２つのスピーカ１０２が設けられている例を示したが、１つのスピーカ１０２が、例えば、背面ストロボ１０１−１と背面ストロボ１０１−２の中間部分に設けられているようにしたり、複数の小型のスピーカ１０２が設けられているようにしたりすることもできる。
【００６６】
背面パネル５１の撮影空間Ａ１側（図中、手前側）の面には、白色のシート１２１が貼り付けられている。ここでは、白色のシート１２１が貼り付けられているとして説明を続けるが、シート１２１の色は、白色に限らず、例えば、明るい灰色などでも良く、反射率の高い色とされる。
【００６７】
また、ここでは、シート１２１が貼り付けられているとして説明を続けるが、壁面自体が白色で塗られていたり、シート状ではなく、白色の板状のパネルが貼り付けられていたりしても良い。
【００６８】
また、カーテンユニットを設置し、そのカーテンユニットに白色のカーテンが巻き取られて収納され、撮影時に、その白色のカーテンが降りてくるような構成としても良い。またカーテンの色は、白色に限らず、例えば、明るい灰色などでも良く、反射率の高い色とすることができる。
【００６９】
＜床の構成＞
図７は、床材２７を示す斜視図である。説明の便宜上、撮影部２１、側面パネル４１Ａなどの図示は省略している。
【００７０】
床材２７の中央、または後方寄りの位置には、横長の長方形の床シート２７Ａが、その長辺が背面パネル５１と略平行になるように貼り付けられる。図７において、背面パネル５１のある方向が撮影空間Ａ１の後方となり、撮影部２１のある方向（白抜き矢印方向）が撮影空間Ａ１の前方となる。
【００７１】
床シート２７Ａには、マーク２８−１とマーク２８−２が印刷されている。マーク２８は、撮影時の立ち位置を利用者毎に誘導するための目印として用いられる。
【００７２】
例えば、利用者の人数が２人であり、上半身が大きく写る画像を撮影（アップ撮影）する場合、カメラ９１に向かって右側に立っている利用者の立ち位置として、マーク２８−１が指定され、左側に立っている利用者の立ち位置として、マーク２８−２が指定される。
【００７３】
図７に示した例では、マーク２８−１には、“ＲＩＧＨＴ”との右を意味する英単語が記載されており、右側に位置する利用者の立ち位置であることを、より明確に示す表示がされている。
【００７４】
同様にマーク２８−２には、“ＬＥＦＴ”との左を意味する英単語が記載されており、左側に位置する利用者の立ち位置であることを、より明確に示す表示がされている。
【００７５】
このマーク２８上に、利用者が位置するときに、利用者に最適に光が照射されるように、背面ストロボ１０１（図６）は、設置されている。このように、最適な写りが得られる位置を、最適撮影位置と適宜記載する。
【００７６】
なお、最適な立ち位置（最適撮影位置）は、ストロボからの光が利用者に対して十分（適切）に照射される位置、カメラ９１の撮影範囲から外れない位置、背景と顔の大きさのバランスがよくなる位置等を意味する。
【００７７】
ところで、写真シール作成装置１は、カメラ９１で撮影された画像に対してトリミングを行い、編集画面に表示される画像を生成する。例えば、図１５に示した画像も、トリミングが行われた後の画像である。
【００７８】
ここで撮影範囲とは、最終的に撮影画像として編集画面に表示される画像の範囲に対応した撮影部２１の撮像素子の範囲であるとして、説明を続けるが、撮影範囲をトリミング前の撮像素子の範囲としてもよい。
【００７９】
床シート２７Ａのマーク２８は、利用者の人数、撮影する画像の画角（範囲）などに応じて、最適な立ち位置を指定することができるような位置に印刷されているようにしても良い。すなわち、マーク２８は、図７に示したように、マーク２８−１とマーク２８−２の２つのマークだけでなく、複数人に対応した複数のマークや、異なる画角毎に対応した複数のマークが印刷されているようにしても良い。また、マーク２８の形状は、図７に示したような四角形状だけでなく、多角形、円形、星形、ハート型など、どのような形状であっても良い。
【００８０】
＜編集ユニットの構成＞
図８は、編集ユニット１２の正面側（編集空間Ａ２−１側）の構成例を示す図である。
【００８１】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８２】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８３】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００８４】
図９は、編集ユニット１２の左側面の構成例を示す図である。
【００８５】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００８６】
＜写真シール作成装置の内部構成＞
図１０は、写真シール作成装置１の構成例を示すブロック図である。図１０において、上述した構成と同じ構成には同じ符号を付してある。重複する説明については適宜省略する。
【００８７】
図１０に示すように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００８８】
PC部３０１を構成するCPU(Central Processing Unit)３１１、ROM(Read Only Memory)３１２、RAM(Random Access Memory)３１３は、バス３１４により相互に接続される。
【００８９】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００９０】
バス３１４には、さらに、入出力インタフェース３１５が接続される。入出力インタフェース３１５には、記憶部３１６、通信部３１７、およびドライブ３１８が接続される。
【００９１】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９２】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９３】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９４】
入出力インタフェース３１５には外部入出力インタフェース３０３が接続される。PC部３０１による各部の制御が、外部入出力インタフェース３０３を介して行われる。
【００９５】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９６】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９７】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【００９８】
撮影部３０４は、撮影空間Ａ１にいる利用者を対象とした撮影処理を実現する。撮影部３０４は、照明装置３３１、カメラ９１、タッチパネルモニタ９２、およびスピーカ１０２から構成される。
【００９９】
照明装置３３１は、撮影空間Ａ１内の各ストロボユニットであり、PC部３０１から供給される照明制御信号に従って発光する。
【０１００】
カメラ９１は、PC部３０１によるシャッタ制御に従って撮影を行い、撮影によって得られた撮影画像（画像データ）をPC部３０１に出力する。
【０１０１】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０２】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０３】
印刷部３０６は、プリンタ３５１を含むように構成される。プリンタ３５１にはシール紙ユニット３５２が装着される。
【０１０４】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール紙排出口１６１に排出する。
【０１０５】
＜写真シール作成装置の機能構成例＞
図１１は、写真シール作成装置１の機能構成例を示すブロック図である。図１１に示す機能部のうちの少なくとも一部は、CPU３１１により所定のプログラムが実行されることによって実現される。
【０１０６】
写真シール作成装置１においては、事前選択処理部４０１、撮影処理部４０２、編集処理部４０３、および印刷処理部４０４が実現される。
【０１０７】
事前選択処理部４０１は、事前選択部３０２の各部を制御することで、事前選択処理を実行する。事前選択処理により、利用者の人数の選択、背景画像の選択などが行われる。利用者による選択内容を表す情報は撮影処理部４０２に供給される。
【０１０８】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１０９】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１１０】
編集処理部４０３は、撮影画像の編集を終えた後、編集画像を所定のレイアウトで配置することによって印刷データを生成し、印刷処理部４０４に出力する。
【０１１１】
印刷処理部４０４は、プリンタ３５１に印刷データを出力し、編集画像の印刷を行う。
【０１１２】
＜背面ストロボの構成について＞
上述した構成を有する写真シール作成装置１は、利用者を綺麗に撮影するために、利用者に適切な光が照射されるような構成とされている。ここで、利用者に適切な光が照射されるとは、利用者を綺麗に撮影できる、利用者が所望とした撮影ができる光が照射されることを含む意味である。ここでは、利用者を綺麗に撮影できる光の照射として、利用者の頭部、特に髪の部分を立体的に撮影でき、頭部全体としても立体的に撮影できる光を照射する場合を例に挙げて説明する。
【０１１３】
背面ストロボ１０１は、図１２、図１３に示すような位置に設置されており、利用者の頭部に光を照射し、利用者の髪を立体的に撮影できるような位置に設置されている。
【０１１４】
図１２は、写真シール作成装置１の撮影空間の縦方向（ＸＹ平面）における断面図（撮影空間を横方向から見たときの図）である。図１３は、写真シール作成装置１の撮影空間の横方向（ＸＺ平面）における断面図（撮影空間を上方向から見たときの図）である。
【０１１５】
図１２、図１３において、右側は、正面側であり、撮影部２１が設けられている側である。また図１２において、左側は、背面側であり、背景部２２が設けられている側である。
【０１１６】
背面ストロボ１０１は、図１２に示したように、撮影空間において、背景部２２の上方に取り付けられている。背面ストロボ１０１は、背面パネル５１と約４５度の角度を有し、利用者側に照射面側が向くように設置されている。
【０１１７】
なお、照射面側とは、光が照射される方向の面側であることを意味する。また光が照射される方向を、適宜、照射方向と記述し、照射方向とは、ストロボ筐体が向いている方向であることを意味する。ストロボ筐体は、図２５を参照して後述するように、背面ストロボ１０１内部に設けられているストロボのことである。
【０１１８】
背面ストロボ１０１は、図１３に示したように、撮影空間において、側面と背景部２２が交わる角の部分に取り付けられている。背面ストロボ１０１は、側面と約５５度（背面パネル５１と約３５度）の角度を有し、利用者側に照射面側が向くように設置されている。
【０１１９】
この背面ストロボ１０１の設置位置における角度は、最適撮影位置に利用者が位置したときの利用者の頭部、特に髪の部分に、背面ストロボ１０１の照射面の中心が向くように設定されている。
【０１２０】
写真シール作成装置１の利用者は、女性が多く、女性が、最適撮影位置、例えば、マーク２８−１（図７）上に位置したときに、女性の頭部が位置する位置を仮定し、その仮定された頭部の位置に、背面ストロボ１０１の照射面の中心が向くように設定されている。
【０１２１】
また、写真シール作成装置１の撮影として、利用者の顔を主に撮影するアップ撮影と、利用者の全身を撮影する全身撮影が行われる場合、最適撮影位置は、アップ撮影時と全身撮影時とで異なる。最適撮影位置を示すマーク２８（図７）は、アップ撮影時に最適な撮影位置を表すマークであるとして説明を続ける。
【０１２２】
上記した仮定される女性の頭部の位置は、アップ撮影時に、平均身長の女性が少し屈んだときに頭部が位置する位置となっているので、平均よりも背の低い利用者であっても、適切な位置に頭部が位置するように撮影することができる。
【０１２３】
また、利用者が少し屈んだ姿勢のときの顔の高さは、カメラユニット８１のカメラ９１が位置する高さと略同じ高さとなっている。よって、カメラ９１が設置されている高さに、利用者の顔が位置したときが、最適撮影位置であるとも言える。
【０１２４】
図１２や図１３に示した角度は一例であり、限定を示すものではない。例えば、背面ストロボ１０１は、背面パネル５１と垂直方向に４５度±１５度（３０度〜６０度）の角度を有し、利用者側に照射面側が向くように設置されている。また例えば、背面ストロボ１０１は、側面と水平方向に５５度±１５度（４０度〜７０度）、背面パネル５１と３５度±１５度（２０度〜５０度）の角度を有し、利用者側に照射面側が向くように設置されている。
【０１２５】
背面ストロボ１０１の角度は、想定される利用者の人数や身長などに応じて、上記範囲内で調整されるようにすることができる。また背景ストロボ１０１の角度は、カメラ９１の撮像範囲内に、利用者の頭部が位置したとき、最適な光が照射される範囲内で調整される。
【０１２６】
このように、背面ストロボ１０１は、最適撮影位置に利用者が位置したときに、最適な光が利用者に照射される位置に設置されている。よって、利用者が最適撮影位置に移動して、撮影されるようにする必要がある。そこで、図７に示したように、床材２７には、床シート２７Ａが設置され、その床シート２７Ａには、撮影に最適な位置を示すマーク２８が印刷され、利用者に最適な撮影位置を明示している。
【０１２７】
さらに、マーク２８に利用者を確実に移動（立たせる）ために、図１４に示すような立ち位置案内画面がタッチパネルモニタ９２に表示されるようにしても良い。例えば、利用者が撮影空間に移動してきた後であり、アップ撮影が行われる前の時点で、図１４に示すような立ち位置案内画面が、タッチパネルモニタ９２に表示される。
【０１２８】
立ち位置案内画面の略中央部分には、床シート２７Ａ（の一部）を模写した画像（写真）５０１が表示される。画像５０１は、床シート２７Ａのマーク２８−１とマーク２８−２が少なくとも表示さている画像とされる。また、画像５０１の上側には、“足下にある□の上に立ってみて！”といった利用者に床シート２７Ａのマーク２８上に移動することを促すメッセージが表示される。
【０１２９】
また、画像５０１のマーク２８を模写した位置を指し示す矢印５０２も表示され、どの四角形に誘導しているのかをより明確に利用者に示す表示もなされている。
【０１３０】
このような立ち位置案内画面が、例えば、アップ撮影が開始されるときに表示されることで、利用者は、立ち位置を確認することができ、利用者自身は意識しなくても最適な撮影位置に立ち、撮影が行われるようにすることができる。
【０１３１】
このような立ち位置案内画面が表示されるようにし、利用者が最適撮影位置に位置したときに、背面ストロボ１０１からの光が、利用者に最適に照射される位置に、背面ストロボ１０１は、設置されている。
【０１３２】
また、撮影が行われるときには、タッチパネルモニタ９２に、その時点で撮影されている画像が表示される。よって、利用者は、どのように撮影されるのかを、タッチパネルモニタ９２に映し出されている画像を見ながら確認し、画面内に自己の顔が収まるように、自己の立ち位置や姿勢などを調整することができる。
【０１３３】
よって、アップ撮影時には、自己の顔が画面内に収まるように利用者が移動することで、最適撮影位置での撮影が行われるようにすることができる。
【０１３４】
よって、最適撮影位置を想定し、その最適撮影位置で利用者の頭部に光が照射されるように背面ストロボ１０１を設置しておけば、背面ストロボ１０１からの光を、最適に、利用者に照射することが可能となる。
【０１３５】
図１３を再度参照するに、例えば、２人の利用者が、写真シール作成装置１を利用しているとき、またその２人の利用者が、それぞれ最適撮影位置に位置しているときに、それぞれの利用者に対して、最適な光が、照射されるように、背面ストロボ１０１−１と背面ストロボ１０１−２は、それぞれ設置されている。
【０１３６】
ここで、図１３において、図中上側に位置する利用者を右利用者とし、図中下側に位置する利用者を左利用者とする。これは、撮影空間において、利用者が正面パネル４２側を向いて立っているとき、利用者にとって、右側を右、左側を左としているためであり、図１３においては、上側が右側に該当し、下側が左側に該当するからである。
【０１３７】
右利用者はマーク２８−１（図７）上に位置し、左利用者はマーク２８−２（図７）上に位置することで、最適撮影位置に位置している。このように利用者が最適撮影位置に位置しているとき、背面ストロボ１０１−１は、右利用者の頭部（主に髪の部分）に光を照射し、背面ストロボ１０１−２は、左利用者の頭部（主に髪の部分）に光を照射するような位置に、それぞれ背面ストロボ１０１−１と背面ストロボ１０１−２は、設置されている。
【０１３８】
すなわちこの場合、背面ストロボ１０１は、背面ストロボ１０１に近い側に位置している利用者に、最適に光を照射できる位置に設置されている。
【０１３９】
このような位置に、背面ストロボ１０１が設置されることで、図１５、図１６に示したような画像を得られる撮影を行うことができる。図１５は、右利用者と左利用者を撮影したときの画像の一例を表している。
【０１４０】
右利用者（図中右側に撮影されている利用者とする）の頭部（髪）の一部は、他の髪の部分と比べて光が強く照射され、光ったような状態で撮影されている。図１５では、光ったような状態を、斜線を入れて表現している。他の図面も、同様に表現する。
【０１４１】
同様に、左利用者（図中左側に撮影されている利用者とする）の頭部（髪）の一部は、他の髪の部分と比べて光が強く照射され、光ったような状態で撮影されている。
【０１４２】
模式的に表すと、図１６に示すようになる。図１６は、利用者の頭部を模式的に円形で示した。頭部５３１のうち、光ったような状態の部分を部分５３２とし、他の部分を部分５３３としている。図１６に示した状態は、背面ストロボ１０１が、利用者の右側（図中右側）に位置し、その背面ストロボ１０１から光が照射されるため、利用者の右側であり、上側の部分に光が当たり、光ったような状態の部分５３２として撮影される。
【０１４３】
背面ストロボ１０１からの光は、拡散光であり、背面ストロボ１０１の発光面の中心付近からの光が強く、中心付近から離れるほど光が弱くなる。このような拡散光が頭部，特に髪の部分に照射されることで、図１６に示したように、光ったような状態の部分５３２は、凸部５３２−１があるような形状となる。光ったような状態の部分５３２は、頭部の際部５３２−２と、凸部５３２−１から構成される。
【０１４４】
頭部の際部５３２−２は、頭部の上方にあり、背景と頭部との境目の領域にある髪の領域である。凸部５３２−１は、際部５３２−２から凸状になっている領域である。
【０１４５】
なお、ここでは説明のために、凸部５３２−１や際部５３２−２を図示し、説明を加えているが、実際に撮影された画像には、図１６に示したような部分５３２を表す線のようなはっきりとした境界線が存在しているわけではない。
【０１４６】
仮に、本技術を適用した背面ストロボ１０１ではなく、単に、利用者からの背面から、光を照射するようなストロボが用いられた場合、頭部の光ったような状態の部分５３２は、髪全体となり、髪全体が同様な光を放つような画像となり、のっぺりとした印象を与えるような画像になる可能性がある。
【０１４７】
または、頭部と背景の際の部分の髪が光っているような画像となり、際の部分のみが強調されたような画像となる可能性がある。
【０１４８】
本技術を適用した背面ストロボ１０１を用いた撮影によれば、凸部５３２−１と際部５３２−２がある光ったような状態の部分５３２を撮影することができる。よって、のっぺりとした画像ではなく、また際の部分だけ目立つような画像ではない画像を撮影することができる。
【０１４９】
換言すれば、髪に立体感を持たせた画像を撮影することができる。また換言すれば、髪に光が強く照射されている部分があることで、光輝いている部分がある撮影を行え、光り輝いている部分で、髪を綺麗に見せる効果を得ることができる撮影を行うことができる。
【０１５０】
さらに換言すれば、背面ストロボ１０１の照射方向に位置する髪の部分を強く照らし、かつ髪の部分全体の輪郭も明るく照らすことができる光を照射することができ、頭部全体として、より立体的に見える撮影画像を得ることができる。
【０１５１】
このような、凸部５３２−１と際部５３２−２がある光ったような状態の部分５３２を撮影が行えるのは、拡散光を照射する背面ストロボ１０１を用い、その背面ストロボ１０１が、上記したような位置に設置されているからである。さらに、ここで、利用者の正面に設置されている上ストロボユニット８２と、背面ストロボ１０１との関係についても説明を加える。
【０１５２】
なお撮影時には、上ストロボユニット８２、足下ストロボユニット８３、および背面ストロボ１０１が発光するが、ここでは、上ストロボユニット８２と背面ストロボ１０１を例に挙げて説明する。以下の説明において、上ストロボユニット８２に対する制御や光量などは、足元ストロボユニット８３にも適用できる。
【０１５３】
撮影が行われるとき、特にアップ撮影が行われるときには、背面ストロボ１０１と上ストロボユニット８２は、同タイミングで発光する。ここでは、同タイミングで発光するとして説明を続けるが、同タイミングではなく、背面ストロボ１０１と上ストロボユニット８２の一方が他方よりも少し遅れて発光されるタイミングが採用されていても良い。
【０１５４】
例えば、上ストロボユニット８２が発光した少し後のタイミングで背面ストロボ１０１が発光するようにしても良い。発光のタイミングをずらすことで、背面ストロボ１０１と上ストロボユニット８２からの光による影響を、より効果的に得られる撮影を行うこともできる。
【０１５５】
撮影時に、上ストロボユニット８２と背面ストロボ１０１が発光することで、利用者には、正面からと、背面からの両方から光が照射されることになる。利用者の正面（顔）には、上ストロボユニット８２からの光が照射される。利用者の頭部（髪）には、背面ストロボ１０１からの光が照射される。このように、利用者の顔と髪には、異なる方向から、異なるストロボからの光が照射される。
【０１５６】
すなわち、利用者の顔と髪には、それぞれ適した方向から適した光量で光が照射されるように、写真シール作成装置１には、上ストロボユニット８２と背面ストロボ１０１が備えられている。
【０１５７】
上ストロボユニット８２からの光の強さ（上ストロボユニット８２と足元ストロボユニット８３からの光を合わせた強さ）と、背面ストロボ１０１からの光の強さについて説明を加える。上ストロボユニット８２からの光の強さ（利用者の前面からの光の強さ）を前面光量とし、背面ストロボ１０１からの光の強さ（利用者の後面からの光の強さ）を後面光量と適宜記載する。
【０１５８】
前面光量と後面光量とは、以下のような関係が成り立つ。
前面光量＜後面光量
【０１５９】
すなわち、前面に備えられた光を照射する前面照射部の前面光量は、後面に備えられた光を照射する後面照射部の後面光量よりも小さくなるように、上ストロボユニット８２の光量と背面ストロボ１０１の光量は、それぞれ設定されている。このように光量を設定しておくことで、利用者をより綺麗に撮影することができる。
【０１６０】
仮に、前面光量＞後面光量と設定されている場合を想定する。この場合、前面光量が後面光量よりも大きいため、利用者に顔に照射される光が、髪に照射される光よりも強い状態となる。このような光の状態の場合、利用者の髪に照射された光よりも強い前面からの光により、髪に照射された光により得られる効果が打ち消されてしまう可能性がある。例えば、凸部５３２-１（図１６）がないような撮影が行われてしまう可能性がある。
【０１６１】
しかしながら、上記したように、前面光量＜後面光量と設定しておくことで、髪に照射された光により得られる効果が打ち消されてしまうようなことを防ぎ、髪に照射された光により得られる効果を得ることができる。
【０１６２】
換言すれば、前面光量＜後面光量と設定しておくことで、利用者の顔面の色が、髪の色よりも相対的に暗くなり、後方からの光の効果をより目立たせることができる撮影を行うことができる。
【０１６３】
また、仮に、前面光量＜後面光量の関係が満たされるが、後面光量が、前面光量よりもとても大きい場合（前面光量と後面光量の差分が大きい場合）を想定する。この場合、逆光の状態となり、利用者の顔が暗くなる、目鼻口などの各器官がはっきりと写らないなど、利用者の顔が綺麗に撮影できない可能性がある。
【０１６４】
よって、前面光量＜後面光量の関係が満たされ、かつ、前面光量と後面光量の差分が適切な範囲内である場合、利用者の顔と髪が、最も綺麗に撮影できる。前面光量と後面光量の差分の一例として、０．１乃至０．５の範囲内である。
【０１６５】
この差分は、例えば、以下に説明するような測定方法で測定されたときの差分とすることができる。光量計を用いて測定し、その光量計のＩＳＯ感度を５００、シャッタ速度を１／１２５秒とする。光量計は、最適撮影位置（例えば、マーク２８−１上（図７）に位置し、利用者の頭部があると測定される位置、例えば、床材２７から１４０ｃｍ程度離れた高さのところに設置される。
【０１６６】
このように設置された光量計の測定面を、上ストロボユニット８２がある側（正面側）に向けて、前面光量を測定する。また、このような設置された光量計の測定面を、背面ストロボ１０１がある側（背面側）に向けて、後面光量を測定する。このような測定の結果得られる光量、例えばＦ値の差分が、０．１乃至０．５の範囲内とされる。
【０１６７】
なお、ここでは、Ｆ値の差分を例に挙げて説明したが、光量の差分は、Ｆ値で表す場合に限らず他の値で表す場合も本技術の適用範囲である。Ｆ値以外の単位で表す場合、０．１乃至０．５という範囲は、Ｆ値以外の単位にあった値に換算される。
【０１６８】
なお、本技術を適用していない写真シール作成装置において、同様の測定方法で、前面の光量と後面の光量を本出願に測定した結果の一例を示すと、前面からの光量（Ｆ値）は約２２、後面からの光量（Ｆ値）は約１１であった。本技術を適用していない写真シール作成装置においては、前面からの光を強く利用者に照射することで、顔を綺麗に撮影することを意図し、ある程度の効果は得られているが、後面からの光が弱いため、後面からの光による効果は得られづらかった。
【０１６９】
しかしながら、本技術によれば、後面からの光が前面よりも強いため、後面からの光による効果、例えば、頭部に立体感を持たせることができる、頭部、特に髪を綺麗に見せることができるといった効果を得ることができ、かつ前面からの光の効果、例えば、顔の部分を綺麗に撮影するといった効果も得ることができる。
【０１７０】
＜撮影空間の色配置＞
上記したような効果をより確実に得られるように、撮影空間の正面、側面、および背面は、以下に説明するような色配置とされている。
【０１７１】
図１７は、撮影部２１の正面の構成例を示す図であり、色の配置を説明するための図である。図１７に示した撮影部２１の正面の構成例は、図５に示した撮影部２１の正面の構成例と同じであり、図５を参照した構成例に関する説明は既にしたため、ここでは構成に関する説明は省略する。
【０１７２】
図１７に示した構成例において、斜線で図示してある部分は、黒色であることを示し、斜線が無い部分は、白色であることを示している。図１８、図１９も同様の記載とする。
【０１７３】
なお、ここでは黒色と白色を例に挙げて説明を続けるが、色としては、黒色の代わりに光を吸収する（反射しない）色を用いたり、白色の代わりに光を吸収しない（反射する）色を用いたりすることができる。
【０１７４】
図１７を参照するに、正面パネル４２のうち、カメラユニット８１、上ストロボユニット８２、および足元ストロボユニット８３が設けられている部分以外は、黒色とされている。また、カメラユニット８１のうち、タッチパネルモニタ９２以外の部分は、黒色とされている。このように、撮影空間の正面側は、基本的に、発光する部分以外は黒色とされている。
【０１７５】
撮影空間の正面側を黒色とすることで、正面と対向する背面に設けられている背面ストロボ１０１からの光が、正面側（正面パネル４２）で反射し、その反射光が、利用者に届くようなことを防ぐことができる。
【０１７６】
背面ストロボ１０１からの光が、意図した方向以外から利用者に照射されると、すなわち、この場合、反射光が利用者に照射されると、上記した前面光量＜後面光量の関係が崩れてしまう可能性があり、背面ストロボ１０１からの光による効果が低減してしまう可能性がある。
【０１７７】
正面パネル４２を黒色とすることで、上記したように、背面ストロボ１０１の光が反射されるようなことを防ぐことができ、反射光による悪影響を低減させることができる。
【０１７８】
また、正面側が黒色とされていることで、撮影画像において、利用者の瞳の部分に白色が写り込むような領域を少なくすることができる。よって、従来の前面光量＞後面光量の写真シール作成装置で得られる画像とは異なる印象を、利用者に与えることができる画像を撮影することができる。
【０１７９】
図１８は、写真シール作成装置１の撮影空間の部分の側面の構成例を示す図であり、色の配置を説明するための図である。図１８に示した側面の構成例は、撮影空間における右側面の構成例である。撮影空間における左側面の構成例も、基本的に、撮影空間における右側面の構成例と同様であるため、ここでは、右側面の構成例を例に挙げて説明を続ける。
【０１８０】
撮影空間における右側面は、側面パネル４１Ｂと側面パネル５２Ｂが配置され、その上方に連結部２３Ｂが配置されている。出入口となる部分には、カーテン５５１が掛けられている。撮影空間の側面においては、正面側に配置されている側面パネル４１Ｂのみが黒色であり、他の部分（側面パネル５２Ｂ、連結部２３Ｂ、およびカーテン５５１）は白色とされている。
【０１８１】
撮影空間の側面においては、正面側が黒色とされている。これは、図１７を参照して説明した正面側と同じく、背面ストロボ１０１からの光が、正面側、すなわち、利用者の前方で反射して、その反射光が利用者を照らすことがないようにするためである。
【０１８２】
側面においても、正面パネル４２側の側面パネル４１を黒色とすることで、上記したように、背面ストロボ１０１の光が反射されるようなことを防ぐことができ、反射光による悪影響を低減させることができる。
【０１８３】
なお、連結部２３Ｂの部分（撮影空間の側面の上部）は、図１８を参照して説明したように、白色でも良いが、黒色でもよい。
【０１８４】
図１９は、写真シール作成装置１の撮影空間の部分の背面側の構成例を示す図であり、色の配置を説明するための図である。図１９に示した撮影部２１の背面の構成例は、図６に示した撮影部２１の背面の構成例と同じであり、図６を参照した構成例に関する説明は既にしたため、ここでは構成に関する説明は省略する。
【０１８５】
撮影空間の背面には、背面パネル５１が配置されている。背面パネル５１の撮影空間側の上方は、黒色とされ、下方は、シート１２１が貼り付けられている。シート１２１については、図６を参照して説明したが、白色のシートとされている。これは、撮影時に、利用者の背景として撮影されるため、白色とされている。シート１２１の色は、利用者の背景として撮影されるのに適した色であれば、他の色であっても良い。
【０１８６】
背面パネル５１の上方に備えられている背面ストロボ１０１の背面は、黒色とされている。換言すれば、背面パネル５１の最上部から、背面ストロボ１０１の下側が位置する位置までの範囲は、黒色とされている。
【０１８７】
なおここでは、背面パネル５１の最上部から、背面ストロボ１０１の下側が位置する位置までの範囲が、黒色としたが、黒色の範囲の下側は、背面ストロボ１０１の下側と一致していなくても良い。例えば、背面ストロボ１０１の下側よりもさらに下側までの範囲が黒色とされていても良い。
【０１８８】
また、背面パネル５１の背部は、黒色とされているが、この背部には、スピーカ１０２も設置されている。そしてスピーカ１０２も黒色とされている。
【０１８９】
このように、背面ストロボ１０１の背部を黒色とすることで、背面ストロボ１０１からの光であり、背面パネル５１側に漏れる光が反射し、反射光が発生するようなことを防ぐことができる。よって、利用者の背面から不要な光が照射されるようなことを防ぐことが可能となる。
【０１９０】
背面においても、背面パネル５１の上部を黒色とすることで、上記したように、背面ストロボ１０１の光が反射されるようなことを防ぐことができ、反射光による悪影響を低減させることができる。
【０１９１】
このように、撮影空間の正面、側面、および背面の色は、広い範囲に光を拡散する背面ストロボ１０１からの光を、白色の側面や背面で反射しやすくする一方で、正面では反射しづらい配色となっている。よって、背面からの光の光量を上げる配色とすることができ、背面からの光の効果を得られやすい配色とすることができる。
【０１９２】
なお、ここに示した色の配置は、一例であり、限定を示す記載ではない。例えば、色として黒色と白色を例に挙げて説明したが、上記したように、他の色であっても良い。また、デザインを重視した色配置としても良く、例えば、黒色の部分と白色の部分の境界は、直線状ではなく、波状などであっても良い。
【０１９３】
また、背面ストロボ１０１からの光を反射させ、利用者に照射されるようにすることを目的とし、撮影空間の正面や側面の上記した例では黒色にしていたい部分を、白色とすることも可能である。
【０１９４】
＜背面ストロボの形状＞
背面ストロボ１０１の形状について説明を加える。
【０１９５】
図２０は、背面ストロボ１０１の外観の構成例を示す図である。図２０のＡは、背面ストロボ１０１を、正面から見たときの図であり、図２０のＢは、横方向から見たときの図である。
【０１９６】
背面ストロボ１０１は、カバー１０１ａと取り付け部１０１ｂとから構成されている。カバー１０１ａは、取り付け部１０１ｂに対して着脱自在に形成されている。図２５を参照して後述するように、取り付け部１０１ｂの内部には、ストロボ本体や照明用の電球などが備えられている。
【０１９７】
また、取り付け部１０１ｂには、背面パネル５１に取り付けるための部材も備えられている。
【０１９８】
図２０に示した背景ストロボ１０１のカバー１０１ａは、正面から見たとき、円形の形状を有しており、横方向からみたとき、半円球状の形状を有している。図２０に示した背景ストロボ１０１は、丸傘ストロボなどと称されるストロボの形状である。
【０１９９】
背景ストロボ１０１の外観の形状、特に、カバー１０１ａの形状は、水平方向と垂直方向に、それぞれ光を拡散する形状とされている。また、照射方向（利用者が最適撮影位置に位置したときの頭部が位置する方向）の照射強度が最も強くなるような形状とされている。また、カバー１０１ａは、光を拡散する材料で形成され、光を拡散する拡散部材として、背景ストロボ１０１を構成する。
【０２００】
このような条件が満たされれば、カバー１０１ａの形状は、図２０に示した丸傘ストロボなどと称される形状以外の形状であっても良い。ここで、図２１乃至２４に、カバー１０１ａの他の形状を示す。
【０２０１】
図２１に示した背景ストロボ１０１のカバー１０１ａは、正面から見たとき、八角形の形状を有しており、横方向からみたとき、半円球状の形状を有している。すなわち、雨具の傘のような形状となっている。
【０２０２】
なおここでは、正面から見たとき、八角形であるカバー１０１ａを例に挙げて説明したが、三角形、四角形、五角形などの多角形でも良い。
【０２０３】
さらに図２２乃至２４に、それぞれ背面ストロボ１０１（カバー１０１ａ）を正面から見たときと、横方向から見たときの形状を表す。図２２乃至２４において、図中左側に示した図は、正面から見たときの図であり、右側に示した図は、横方向から見たときの図である。また、横方向から見たときの図において、図中左側が照射面側であり、図中右側が背面パネル５１側（取り付け部１０１ｂが取り付けられる側）である。
【０２０４】
図２２のＡに示した背面ストロボ１０１（カバー１０１ａ）の形状は、正面から見たとき、円形状であり、横方向から見たとき、半楕円形状である。図２２のＢに示した背面ストロボ１０１の形状は、正面から見たとき、楕円形状であり、横方向から見たとき、半楕円形状であり、全体として楕円ドーム型になっている。図２２のＣに示した背面ストロボ１０１の形状は、正面から見たとき、円形状であり、横方向から見たとき、半円形状であり、全体として半球型になっている。
【０２０５】
このように、背面ストロボ１０１は、円形状や楕円形状などの曲線を用いたデザインを採用することができる。
【０２０６】
図２３のＡに示した背面ストロボ１０１の形状は、正面から見たとき、三角形状であり、横方向から見たとき、三角形状であり、全体として三角錐になっている。図２３のＢに示した背面ストロボ１０１の形状は、正面から見たとき、四角形状であり、横方向から見たとき、三角形状であり、全体として四角錐になっている。
【０２０７】
図２３のＣに示した背面ストロボ１０１の形状は、正面から見たとき、五角形状であり、横方向から見たとき、三角形状であり、全体として五角錐になっている。図２３のＤに示した背面ストロボ１０１の形状は、正面から見たとき、六角形状であり、横方向から見たとき、三角形状であり、全体として六角錐になっている。
【０２０８】
ここでは、三角錘乃至六角錘を例に挙げて説明したが、七角錐、八角錐などでも良い。このように、背面ストロボ１０１は、三角錐や四角錐といった多角錐のデザインを採用することができる。
【０２０９】
図２３に示した背面ストロボ１０１の形状は、三角錘など、頂点を有する形状であったが、図２４に示す背面ストロボ１０１の形状のように、頂点が無い形状とすることもできる。
【０２１０】
図２４のＡに示した背面ストロボ１０１の形状は、正面から見たとき、中央部分と外径が六角形状となっており、横方向から見たとき、台形形状（三角形状の頂点が無い形状）とされている。なお、ここでは、六角錐を適用した場合を例に挙げて説明したが、三角錘や四角錐といった多角錘の頂点が無い形状とすることも可能である。
【０２１１】
図２４のＢに示した背面ストロボ１０１の形状は、正面から見たとき、外形と中央部分が、星形形状であり、横方向から見たとき、台形形状（三角形状の頂点が無い形状）とされている。図２４のＣに示した背面ストロボ１０１の形状は、正面から見たとき、ダイヤカットなどと称される形状であり、横方向から見たとき、台形形状（三角形状の頂点が無い形状）とされている。
【０２１２】
このように、背面ストロボ１０１は、多角錘の頂点が無いような形状や、星形やダイヤカットなど、デザイン性を重視した形状を採用することもできる。
【０２１３】
背面ストロボ１０１の形状は、図２０乃至２４に示したような形状とすることができるが、これらの形状は、光を所定の部分に照射し、所定の部分以外の場所には拡散光が照射されるような形状とされている。ここで、所定の部分とは、例えば、図１６を参照して説明した凸部５３２−１の部分である。そして、凸部５３２−１となる部分、すなわち髪の一部に、背面ストロボ１０１からの光が照射される形状に、背面ストロボ１０１の形状はされている。
【０２１４】
背面ストロボ１０１のカバー１０１ａは、上記したような形状とされるが、カバー１０１ａを外した背面ストロボ１０１には、図２５に示すように、ストロボ６０１と電球６０２が備えられている。背面ストロボ１０１内のストロボ６０１は、撮影が行われるときに発光する。背面ストロボ１０１内の電球６０２は、撮影空間の照明として、基本的に常時点灯されている。
【０２１５】
上記した説明において、前面光量と後面光量について説明したが、この後面光量は、背面ストロボ１０１を構成するストロボ６０１が発光したときの光量である。同じく、前面光量も、上ストロボユニット８２内に備えられているストロボ（後述する）が発光したときの光量である。
【０２１６】
＜上ストロボユニットの構成＞
次に上ストロボユニット８２について説明を加える。図２６は、上ストロボユニット８２の構成を示す図であり、パネル８６を外した状態であり、内部が見えている状態を示す図である。
【０２１７】
上ストロボユニット８２を構成する３枚のパネル８６−１乃至８６−３を全て外すと、中央部分に、ストロボ６３１が配置され、ストロボ６３１の両側に、左右対称に、電球６３２−１乃至６３２−６が配置されている。ストロボ６３１の図中左側には、電球６３２−１乃至６３２−３が配置され、ストロボ６３１の図中右側には、電球６３２−４乃至６３２−６が配置されている。
【０２１８】
上ストロボユニット８２内のストロボ６３１は、撮影が行われるときに発光する。上ストロボユニット８２内の電球６３２は、撮影空間の照明として、基本的に常時点灯されている。
【０２１９】
このように、上ストロボユニット８２内には、ストロボ６３１と電球６３２が備えられ、パネル８６を外すことで、例えば、切れた電球６３２の交換を行うといったメンテナンス作業を行うことができるように構成されている。
【０２２０】
また上ストロボユニット８２は、背面ストロボ１０１と異なり、ボックス型のストロボとなっており、発光面が広く構成されている。よって、撮影時に、利用者の前面を万遍なく、所定の明るさ（前面光量）で、光を照射することができる。
【０２２１】
また、上ストロボユニット８２は、横方向に広い構造になっているため、複数の利用者が横方向に並んで撮影が行われたとしても、複数の利用者に万遍なく光を照射することができる。
【０２２２】
上ストロボユニット８２のパネル８６は、例えば、白色のアクリル板で形成することができる。上ストロボユニット８２のパネル８６を、白色のアクリル板といった反射率の高い色、材料で形成することで、背面ストロボ１０１からの光を反射して、被写体正面を全体的に照らすこともできるようになる。すなわち、背景ストロボ１０１からの光（反射光）を、上ストロボユニット８２からの光と合わせて、利用者に照射することができる。
【０２２３】
上ストロボユニット８２と足元ストロボユニット８３は、アップ撮影時に、利用者が最適撮影位置に位置したときに、利用者の顔に光が照射されるように配置されている。
【０２２４】
また、上ストロボユニット８２と足元ストロボユニット８３は、全身撮影時に、利用者が、背面パネル５１よりに寄って、撮影が行われたときに、利用者全体に光を万遍なく照射されるように配置されている。
【０２２５】
また、アップ撮影時と全身撮影時に、上ストロボユニット８２は、同様の発光量で発光するが、背面ストロボ１０１は、アップ撮影時の発光量の方が、全身撮影時の発光量よりも大きくなるように設定されている。
【０２２６】
上ストロボユニット８２のパネル８６は、図１２を参照して説明したように、正面パネル４２に対して所定の角度を有して斜めに配置されている。また、パネル８６は、着脱自在に構成されている。これらのことについて、さらに説明を加える。
【０２２７】
図２７は、パネル８６−３を外した状態の上ストロボユニット８２の、パネル８６−３付近の拡大図である。ここでは、パネル８６−３を例に挙げて説明するが、基本的な構成は、パネル８６−１やパネル８６−２の部分でも同様である。
【０２２８】
天井板６５１の一辺には、パネル８６を取り付けるレール６６１−１が備えられている。
【０２２９】
天井板６５１を支えるように設けられている壁６５２には、パネル８６を取り付けるレール６６１−２が備えられている。壁６５２は、三角形状とされ、その斜辺に、レール６６１−２が設けられている。
【０２３０】
天井板６５１と正面パネル４２との間には、壁６５２の斜辺と同じ傾斜となるように取り付けられているレール６６１−３が設けられている。
【０２３１】
パネル８６−３を取り付けるためのレール６６１−１乃至６６１−３が設けられている。レール６６１−１乃至６６１−３には、それぞれパネル８６−３に設けられている爪が嵌入される穴が形成されている。
【０２３２】
レール６６１−１には、穴６７１−１と穴６７１−２が形成されている。レール６６１−２には、穴６７２−１と穴６７２−２が形成されている。レール６６１−３には、穴６７３−１と穴６７３−２が形成されている。レール６６１には、計６個の穴６７２が形成されており、これらの穴６７２とパネル８６−３において対応する位置に爪が形成されている。
【０２３３】
図２８は、パネル８６−３の構成例を示す図である。パネル８６−３の上部の枠６９１−１には、爪６８１−１と爪６８１−２が設けられている。パネル８６−３の左側の枠６９１−２には、爪６８２−１と爪６８２−２が設けられている。またパネル８６−３の右側の枠６９１−３には、爪６８３−１と爪６８３−２が設けられている。
【０２３４】
図２８は、パネル８６−３の裏面を示しているため、図２７に示した上ストロボユニット８２に装着するときには、図２８で図示したパネル８６−３の裏面が内側になり、図２８では図示していない表面が、図２７に示したパネル８６−２と同じく、見えるような状態となって取り付けられる。
【０２３５】
パネル８６−３が、上ストロボユニット８２に装着される場合、パネル８６−３の枠６９１−１と上ストロボユニット８２のレール６６１−１が対面するように装着される。
【０２３６】
また、パネル８６−３の枠６９１−２（図２８では左側）と上ストロボユニット８２のレール６６１−２（図２７では右側）が対面するように装着される。また、パネル８６−３の枠６９１−３（図２８では右側）と上ストロボユニット８２のレール６６１−３（図２７では左側）が対面するように装着される。
【０２３７】
パネル８６−３に設けられている爪６８１は、上ストロボユニット８２のレール６６１に形成されている穴６７１に嵌入され、その後、パネル８６−３がずらされると、爪６８１が、レール６６１に係止されるように構成されている。
【０２３８】
具体的には、パネル８６−３の爪６８１−１は、レール６６１−１の穴６７１−１に嵌入される位置に形成され、パネル８６−３の爪６８１−２は、レール６６１−１の穴６７１−２に嵌入される位置に形成されている。
【０２３９】
また、パネル８６−３に設けられている爪６８２は、上ストロボユニット８２のレール６６２に形成されている穴６７２に嵌入され、その後、パネル８６−３がずらされると、爪６８２が、レール６６２に係止されるように構成されている。
【０２４０】
具体的には、パネル８６−３の爪６８２−１は、レール６６１−２の穴６７２−１に嵌入される位置に形成され、パネル８６−３の爪６８２−２は、レール６６２−１の穴６７２−２に嵌入される位置に形成されている。
【０２４１】
また、パネル８６−３に設けられている爪６８３は、上ストロボユニット８２のレール６６３に形成されている穴６７３に嵌入され、その後、パネル８６−３がずらされると、爪６８３が、レール６６３に係止されるように構成されている。
【０２４２】
具体的には、パネル８６−３の爪６８３−１は、レール６６１−３の穴６７３−１に嵌入される位置に形成され、パネル８６−３の爪６８３−２は、レール６６３−１の穴６７３−２に嵌入される位置に形成されている。
【０２４３】
パネル８６−３の左右にそれぞれ形成されている爪６８２と爪６８３は、同一の形状で形成されているが、上部に形成されている爪６８１は、爪６８２や爪６８６とは異なる形状とされている。図２９を参照し、爪６８１と爪６８２の形状の違いについて説明を加える。
【０２４４】
爪６８１と爪６８２は、ともに、Ｌ字型に形成されている。爪６８１は、パネル８６−３と垂直に交わる方向に、長さＬ１を有し、パネル８６−３と平行に長さＨ１を有する形状で形成されている。爪６８２は、パネル８６−３と垂直に交わる方向に、長さＬ２を有し、パネル８６−３と平行に長さＨ２を有する形状で形成されている。
【０２４５】
爪６８１の長さＬ１と爪６８２の長さＬ２は、同一の長さで形成されている。爪６８１の長さＨ１と爪６８２の長さＨ２は、異なる長さで形成されており、長さＨ１＞長さＨ２の関係が満たされるように形成されている。
【０２４６】
すなわち、パネル８６−３の上部に形成されている爪６８１の長さＨ１は、左部（右部）に形成されている爪６８２（６８３）の長さＨ２よりも長く形成されている。このように、爪の長さを変えることで、パネル８６−３を、上ストロボユニット８２から外したときに、パネル８６−３が落下してしまうようなことを防ぐことができる。このことについて図３０を参照して説明する。
【０２４７】
図３０には、パネル８６−３が、上ストロボユニット８２に装着された状態（時刻ｔ１）と、パネル８６−３を、上ストロボユニット８２に対してずらした状態（時刻ｔ２）、およびパネル８６−３が、上ストロボユニット８２に掛止されている状態（時刻ｔ３）を、それぞれ模式的に示している。
【０２４８】
時刻ｔ１において、パネル８６−３が、上ストロボユニット８２に装着されているときは、爪６８１−１の長さＨ１の部分は、レール６６１−１と重なっている（接している）状態であり、爪６８２−１の長さＨ２の部分と爪６８３−１の長さＨ２の部分は、それぞれレール６６１−２と重なっている（接している）状態である。
【０２４９】
換言すれば、爪６８１−１とパネル８６−３のパネルの部分で、レール６６１−１が挟持され、爪６８２−１とパネル８６−３のパネルの部分で、レール６６１−２が挟持され、爪６８３−１とパネル８６−３のパネルの部分で、レール６６１−２が挟持されているため、パネル８６−３は、上ストロボユニット８２に対して係止されている状態となる。
【０２５０】
このような状態から、パネル８６−３が、上方向にずらされると、時刻ｔ２に示したような状態となる。すなわち、爪６８１−１の長さＨ１の部分は、レール６６１−１と重なっている（接している）状態が一部維持されているが、爪６８２−１の長さＨ２の部分、および爪６８３−１の長さＨ２の部分は、それぞれレール６６１−２と重なっている（接している）状態が解除された状態となっている。
【０２５１】
穴６７２−１の縦方向の長さが爪６８２−１の長さＨ２以上とされているため、パネル８６−３が、上方向に長さＨ２以上ずらされると、爪６８２−１の長さＨ２の部分は、穴６７２−１の部分と重なることになり、爪６８２−１とパネル８６−３のパネルの部分で、レール６６１−２を挟持していた状態は解除された状態となる。
【０２５２】
爪６８２−２も同じく、パネル８６−３が、上方向に長さＨ２以上ずらされると、爪６８２−２の長さＨ２の部分は、穴６７２−１の部分と重なることになり、爪６８２−２とパネル８６−３のパネルの部分で、レール６６１−２を挟持していた状態は解除された状態となる。
【０２５３】
時刻ｔ２の状態で、パネル８６−３をずらしていた作業員の手が、パネル８６−３から離されると、時刻ｔ３のところに示したような状態となる。時刻ｔ２の状態では、爪６８１−１とパネル８６−３のパネルの部分で、レール６６１−１を挟持している状態は維持されているため、時刻ｔ２の状態から、パネル８３−３を支えていた作業員からの力がなくなっても、その挟持されている状態は維持される。
【０２５４】
時刻ｔ３のところに示したように、爪６８１−１とパネル８６−３のパネルの部分で、レール６６１−１が挟持された状態で、パネル８６−３は、上ストロボユニット８２（レール６６１−１）にぶら下がっているような状態となる。換言すれば、パネル８６−３は、爪６８１−１で、レール６６１−１に掛止された状態とされている。
【０２５５】
よって、パネル８６−３をずらしても、パネル８６−３が落下してしまうようなことを防ぐことができる。
【０２５６】
図示はしないが、時刻ｔ３の状態から、パネル８６−３を上方向にずらすと、爪６８１−１とパネル８６−３のパネルの部分で、レール６６１−１を挟持していた状態が解除され、パネル８６−３を、上ストロボユニット８２から外すことができる。
【０２５７】
＜背面ストロボの他の配置＞
上記した実施の形態においては、背面ストロボ１０１が、撮影空間の後方であり、背面（後面）と側面の角付近に配置されている場合、例えば図１３を参照して説明したような位置に配置されている場合を例に挙げて説明した。
【０２５８】
背面ストロボ１０１の配置位置を変えることで、異なる効果を得ることができる。背面ストロボ１０１の他の配置位置として、図３１に示した配置を一例として説明を加える。
【０２５９】
図３１に示した背面ストロボ１０１は、背面パネル５１の中央と側面との略中央に、左右対称に配置されている。このように背面ストロボ１０１を配置することで、背面ストロボ１０１−１は、左側（図中下側）の利用者の頭部に光を照射し、背面ストロボ１０１−２は、右側（図中上側）の利用者の頭部に光を照射することになる。
【０２６０】
このように光が照射されることで、図３２に示したような画像が撮影される。図３２を参照するに、図中左側に撮影されている利用者の頭部の右側に、背面ストロボ１０１−２からの光が照射され、その光による効果が現れている画像が撮影される。また、図中右側に撮影されている利用者の頭部の左側に、背面ストロボ１０１−２からの光が照射され、その光による効果が現れている画像が撮影される。
【０２６１】
この場合、並んで撮影された利用者の中央部分を、より立体的に映し出した画像を撮影することができる。
【０２６２】
図１３や図３１に示した背面ストロボ１０１の配置位置は、カメラ９１を中心として左右対称となる位置に配置されている。よって、例えば、２人の利用者がカメラ９１の位置を中心として、対称に横に並んで撮影されると、その２人の利用者に左右対称に同等の光の当たり具合を提供でき、２人の利用者それぞれが満足するような撮影を行うことができる。
【０２６３】
背面ストロボ１０１の他の配置位置例を、図３３に示し、説明を加える。
【０２６４】
図３３に示した背面ストロボ１０１は、一方の側面に近い側の背面パネル５１に、２個の背面ストロボ１０１が配置されている。図１３や、図３１に示した背面ストロボ１０１の配置は、背面ストロボ１０１−１と背面ストロボ１０１−２が、左右対称に配置されている例を示したが、図３３に示した背面ストロボ１０１の配置は、背面ストロボ１０１−１と背面ストロボ１０１−２が、左右対称に配置されていない例（非対称の例）を示している。
【０２６５】
図３３に示した背面ストロボ１０１の配置例は、左側（図中下側）の側面側に、背面ストロボ１０１−１と背面ストロボ１０１−２が配置されている。図示はしないが、右側（図中上側）の側面側に、背面ストロボ１０１−１と背面ストロボ１０１−２が配置されている構成としても良い。
【０２６６】
図３３に示したように背面ストロボ１０１が配置されることで、背面ストロボ１０１−１は、右側（図中上側）の利用者の頭部に光を照射し、背面ストロボ１０１−２は、左側（図中下側）の利用者の頭部に光を照射することになる。
【０２６７】
このように光が照射されることで、図３４に示したような画像が撮影される。図３４を参照するに、図中左側に撮影されている利用者の頭部の右側に、背面ストロボ１０１−１からの光が照射され、その光による効果が現れている画像が撮影される。また、図中右側に撮影されている利用者の頭部の右側に、背面ストロボ１０１−２からの光が照射され、その光による効果が現れている画像が撮影される。
【０２６８】
この場合、並んで撮影された利用者において、同じ側、この場合、右側を、より立体的に映し出した画像を撮影することができる。
【０２６９】
上記した実施の形態においては、背面ストロボ１０１が２個備えられている場合を例に挙げて説明をしたが、背面ストロボ１０１の数は、２個に限定されるわけではなく、例えば、図３５に示すように１個でも良い。
【０２７０】
図３５に示した背面ストロボ１０１の配置例は、１個の背面ストロボ１０１が、背面パネル５１の中央付近に配置されている。このように、中央に１個の背面ストロボ１０１を配置することで、２人の利用者の間側のそれぞれの利用者の頭部に光を照射することができる。
【０２７１】
また、１個の背面ストロボ１０１が、背面パネル５１に配置される場合、背面パネル５１の左側または右側に配置されているようにしても良い。例えば、図１３に示したような背面ストロボ１０１−１と背面ストロボ１０１−２のうちの、どちらか一方のみが撮影空間に配置されているようにしても良い。
【０２７２】
１個の背面ストロボ１０１が、背面パネル５１の左側または右側に配置されているようにした場合、利用者が１人で撮影したときでも、上記したような効果、例えば、髪を立体的に撮影することができるという効果を得ることができる。
【０２７３】
例えば、利用者が１人で撮影されることが想定される写真シール作成装置１においては、このような１個の背面ストロボ１０１が、背面パネル５１の左側または右側に配置されているようにした装置としても良い。
【０２７４】
また図示はしないが、例えば、図１３に示したように、左右対称に２個配置し、さらに図３５に示したように中央に１個配置し、合計３個の背面ストロボ１０１が配置されるようにしても良い。
【０２７５】
また、図３６に示すように、補助的なストロボを追加した構成としても良い。図３６に示した構成例においては、背面ストロボ１０１が、背面パネル５１の上側に、左右対象に配置され、補助ストロボ７０１−１と補助ストロボ７０１−２が、側面側に、左右対称に配置されている。このように、背面ストロボ１０１が発光する光の他に、撮影時に光を発光する補助ストロボ７０１を備える構成としても良い。
【０２７６】
上記したように、背面ストロボ１０１を、カメラ９１が設置されている高さに、利用者の顔が位置したとき、換言すれば、最適撮影位置に利用者の顔が位置したときに、利用者の頭部に光が照射される角度で、撮影空間の後面（背面パネル５１）に配置し、撮影が行われるようにしたことで、より綺麗に利用者を撮影することができる。より綺麗に撮影できる一例として、利用者の頭部を、立体的に撮影できる。
【０２７７】
また、背面ストロボ１０１が撮影時に発光する光の光量は、上ストロボユニット８２が撮影時に発光する光の光量（正面から照射される光の光量）よりも大きくなるように制御されることで、より綺麗に利用者を撮影することができる。すなわち、正面からの光により後方からの光による効果が低減されるようなことを防ぎ、後方からの光による効果、例えば、頭部を立体的に撮影できるという効果を得ることができる。
【０２７８】
＜その他の変形例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０２７９】
インストールされるプログラムは、光ディスク（CD-ROM(Compact Disc-Read Only Memory)，DVD(Digital Versatile Disc)等）や半導体メモリなどよりなる図１０に示されるリムーバブルメディア３１９に記録して提供される。また、ローカルエリアネットワーク、インターネット、デジタル放送といった、有線または無線の伝送媒体を介して提供されるようにしてもよい。プログラムは、ROM３１２や記憶部３１６に、あらかじめインストールしておくことができる。
【０２８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２８１】
また、本明細書において、システムとは、複数の装置により構成される装置全体を表すものである。
【０２８２】
なお、本明細書に記載された効果はあくまで例示であって限定されるものでは無く、また他の効果があってもよい。
【０２８３】
なお、本技術の実施の形態は、上述した実施の形態に限定されるものではなく、本技術の要旨を逸脱しない範囲において種々の変更が可能である。
【符号の説明】
【０２８４】
１  写真シール作成装置，  １１  撮影ユニット，  １２  編集ユニット，  ２０  事前選択部，  ２１  撮影部，  ２２  背景部，  ２３  連結部，  ２４  天井シート，  ２６  カーテンレール，  ２７  床材，  ２８  マーク，  ４１Ａ  側面パネル，  ４１Ｂ  側面パネル，  ４２Ｂ  側面パネル，  ５１  背面パネル，  ５２Ａ  側面パネル，  ５２Ｂ  側面パネル，  ６１  面，  ６２  斜面，  ８１  カメラユニット，  ８２  上ストロボユニット，  ８３  足元ストロボユニット，  ８６  パネル，  ９１  カメラ，  ９２  タッチパネルモニタ，  １０１  背面ストロボ，  １２１  シート，  ４０１  事前選択処理部，  ４０２  撮影処理部，  ４０３  編集処理部，  ４０４  印刷処理部，  ５０１  画像，  ５０２  矢印，  ５３１  頭部，  ５３２−１  凸部，  ５３２−２  際部，  ５３３  部分，  ５５１  カーテン，  ６０１  ストロボ，  ６０２  電球，  ６３１  ストロボ，  ６３２  電球，  ６５１  天井板，  ６５２  壁，  ６６１  レール，  ６６２  レール，  ６６３  レール，  ６７１乃至６７３  穴，  ６８１乃至６８３  爪，  ６９１  枠，  ７０１  補助ストロボ
【図１】
2019101076.tif 000003
【図２】
2019101076.tif 000004
【図３】
2019101076.tif 000005
【図４】
2019101076.tif 000006
【図５】
2019101076.tif 000007
【図６】
2019101076.tif 000008
【図７】
2019101076.tif 000009
【図８】
2019101076.tif 000010
【図９】
2019101076.tif 000011
【図１０】
2019101076.tif 000012
【図１１】
2019101076.tif 000013
【図１２】
2019101076.tif 000014
【図１３】
2019101076.tif 000015
【図１４】
2019101076.tif 000016
【図１５】
2019101076.tif 000017
【図１６】
2019101076.tif 000018
【図１７】
2019101076.tif 000019
【図１８】
2019101076.tif 000020
【図１９】
2019101076.tif 000021
【図２０】
2019101076.tif 000022
【図２１】
2019101076.tif 000023
【図２２】
2019101076.tif 000024
【図２３】
2019101076.tif 000025
【図２４】
2019101076.tif 000026
【図２５】
2019101076.tif 000027
【図２６】
2019101076.tif 000028
【図２７】
2019101076.tif 000029
【図２８】
2019101076.tif 000030
【図２９】
2019101076.tif 000031
【図３０】
2019101076.tif 000032
【図３１】
2019101076.tif 000033
【図３２】
2019101076.tif 000034
【図３３】
2019101076.tif 000035
【図３４】
2019101076.tif 000036
【図３５】
2019101076.tif 000037
【図３６】
2019101076.tif 000038